(57)【要約】【課題】建具の厚さのバリエーションに対して同一の操作つまみを兼用することができ、簡素な形状で製造コストを低減することができ、交換作業を容易に行うことができ、且つ、ガタツキが生じることがなく確実に操作することができる操作つまみを提供する。【解決手段】引戸又は折戸の縦框３１に形成された内外方向の貫通孔３１ａ内へ挿入される上下一対の水平板状の係合片１１，１２及び２１，２２が設けられた合成樹脂製の内側つまみ１及び外側つまみ２からなり、内側つまみ１及び外側つまみ２の上係合片１１，２１同士並びに内側つまみ１及び外側つまみ２の下係合片１２，２２同士が面接触し、これら接触面４，５を係合面６，７とするとともに、上下方向内側の係合片１１，１２間に内挿され、前記係合片の上下方向内側への変形を規制するロックピン３を備えた。【選択図】図２
2008190238.tif 000002
【特許請求の範囲】
【請求項１】
網戸、ガラス戸若しくはアルミサッシ等の引戸又はアコーディオンカーテン、アコーディオンドア若しくは可動間仕切等の折戸において、これら建具により仕切る空間の内外から該建具を操作する操作つまみであって、
前記建具の縦框に形成された内外方向の貫通孔内へ挿入される上下一対の水平板状の係合片が設けられた合成樹脂製の内側つまみ及び外側つまみからなり、内側つまみ及び外側つまみの上係合片同士並びに内側つまみ及び外側つまみの下係合片同士が面接触し、これら接触面を係合面とするとともに、上下方向内側の係合片間に内挿され、前記係合片の上下方向内側への変形を規制する規制部材を備えてなることを特徴とする操作つまみ。
【請求項２】
前記係合面が、前記係合片の基体に弾性被膜をコーティングしたもの、若しくは、滑り止めテープ若しくはシートを貼付したもの、又は、前記基体自体に微細な凹凸加工を施したものにより構成される請求項１記載の操作つまみ。
【請求項３】
前記基体自体に施す微細な凹凸加工が、同一ピッチの、建具開閉方向の平目、斜目、四角目又は菱形目のローレットを、前記基体の成形時に一体成形したものである請求項２記載の操作つまみ。
【発明の詳細な説明】
【技術分野】
【０００１】
本発明は、網戸、ガラス戸若しくはアルミサッシ等の引戸又はアコーディオンカーテン、アコーディオンドア若しくは可動間仕切等の折戸において、これら建具により仕切る空間の内外から該建具を操作する操作つまみに関するものである。
【背景技術】
【０００２】
従来の操作つまみとして、同じ形状の合成樹脂製の操作つまみ半体の平板部の裏面側同士を対向させるとともに、一方の操作つまみ半体の係止用突片の係止爪部を他方の操作つまみ半体の係止孔に係止して組み立てられるもの（例えば、特許文献１参照。）、一組の引手本体の箱状段部上下面に設けられ引戸厚み方向に連設された側面視略三角形溝状の係止受部と、該係止受部に係入する係止爪を備えた弾性係止片とが対向して設けられ、引戸に穿設した貫通孔の両面から一組の引手本体双方のケーシングを嵌入すると弾性係止片の係止爪が対向する所望位置の係止受部の溝に係止されるもの（例えば、特許文献２参照。）等がある。
【０００３】
【特許文献１】実開昭５５−１４０６４７公報（第１図、第３−４図、第８−１１図）
【特許文献２】特許第３８２２６７１号公報（図１−５、図７−８）
【発明の開示】
【発明が解決しようとする課題】
【０００４】
特許文献１に記載された操作つまみは、合成樹脂製の操作つまみの一方の操作つまみ半体の係止爪部を他方の操作つまみ半体の係止孔に係止する構成であるため、操作つまみの寸法精度が低いことから該操作つまみの操作時にガタツキが生じる場合がある。また、操作つまみが取り付けられる折り畳みドアの端部パネルの厚さのバリエーションに対応するためには、端部パネルの厚さに合わせた個別の操作つまみを用意する必要があり、同一の操作つまみを兼用することができない。
【０００５】
特許文献２に記載された操作つまみ（引手）は、弾性係止片の係止爪が係止受部の引戸厚み方向に連設された所望位置の溝に係止されるため、引手が取り付けられる引戸の厚さのバリエーションに対して同一の引手を兼用することができるものである。しかし、剛性が比較的高く弾性変形しにくい箱状段部の係止受部に、剛性が比較的低く弾性変形しやすい弾性係止片の係止爪を係止させる構成であり、引戸に組み付けた後に取り外して交換することが困難である。また、組み付け後の取り外しを容易にするには、一対の引手本体を離反させることができるように、弾性係止片の剛性を大幅に低くして弾性変形しやすくする必要があり、そうするとガタツキが発生しやすく、引手が抜けやすくなる。さらに、係止爪を備えた弾性係止片が片持ち状の複雑な形状であること等から、製造コストが増大する。
【０００６】
そこで本発明が前述の状況に鑑み、解決しようとするところは、操作つまみが取り付けられる建具の厚さのバリエーションに対して同一の操作つまみを兼用することができ、簡素な形状で製造コストを低減することができ、交換作業を容易に行うことができ、且つ、ガタツキが生じることがなく確実に操作することができる操作つまみを提供する点にある。
【課題を解決するための手段】
【０００７】
本発明に係る操作つまみは、網戸、ガラス戸若しくはアルミサッシ等の引戸又はアコーディオンカーテン、アコーディオンドア若しくは可動間仕切等の折戸において、これら建具により仕切る空間の内外から該建具を操作する操作つまみであって、前記建具の縦框に形成された内外方向の貫通孔内へ挿入される上下一対の水平板状の係合片が設けられた合成樹脂製の内側つまみ及び外側つまみからなり、内側つまみ及び外側つまみの上係合片同士並びに内側つまみ及び外側つまみの下係合片同士が面接触し、これら接触面を係合面とするとともに、上下方向内側の係合片間に内挿され、前記係合片の上下方向内側への変形を規制する規制部材を備えてなるものである。
【０００８】
ここで、前記係合面が、前記係合片の基体に弾性被膜をコーティングしたもの、若しくは、滑り止めテープ若しくはシートを貼付したもの、又は、前記基体自体に微細な凹凸加工を施したものにより構成されると好ましい。
【０００９】
また、前記基体自体に施す微細な凹凸加工が、同一ピッチの、建具開閉方向の平目、斜目、四角目又は菱形目のローレットを、前記基体の成形時に一体成形したものであると好ましい。
【発明の効果】
【００１０】
本発明に係る操作つまみによれば、網戸、ガラス戸若しくはアルミサッシ等の引戸又はアコーディオンカーテン、アコーディオンドア若しくは可動間仕切等の折戸において、これら建具により仕切る空間の内外から該建具を操作する操作つまみであって、前記建具の縦框に形成された内外方向の貫通孔内へ挿入される上下一対の水平板状の係合片が設けられた合成樹脂製の内側つまみ及び外側つまみからなり、内側つまみ及び外側つまみの上係合片同士並びに内側つまみ及び外側つまみの下係合片同士が面接触し、これら接触面を係合面とするとともに、上下方向内側の係合片間に内挿され、前記係合片の上下方向内側への変形を規制する規制部材を備えてなるので、上係合片同士及び下係合片同士の接触面が係合面であり、該係合面の適宜位置で係合するため、操作つまみが取り付けられる建具の厚さのバリエーションに対して同一の操作つまみを兼用可能であるとともに、上下一対の水平板状の係合片等からなる簡素な形状であるため製造コストを低減することができる。その上、規制部材が係合片の上下方向内側への変形を規制するため、内側つまみ及び外側つまみが係合した状態が維持され、ガタツキが生じることがなく確実に操作つまみを操作することができる。その上さらに、合成樹脂製の内側つまみ及び外側つまみの上下の係合片がともに比較的弾性変形しやく、規制部材を外すと容易に取り外すことができるため、交換作業を容易に行うことができる。
【００１１】
また、前記係合面が、前記係合片の基体に弾性被膜をコーティングしたもの、若しくは、滑り止めテープ若しくはシートを貼付したもの、又は、前記基体自体に微細な凹凸加工を施したものにより構成されると、前記効果に加え、上下一対の水平板状の係合片の係合面に所要の摩擦係合力又は機械的係合力を付与しながら、上下一対の水平板状の係合片の係合面を摩擦係合面又は機械的係合面として容易に形成することができる。
【００１２】
さらに、前記基体自体に施す微細な凹凸加工が、同一ピッチの、建具開閉方向の平目、斜目、四角目又は菱形目のローレットを、前記基体の成形時に一体成形したものであると、前記効果に加え、微細な凹凸を係合片の基体に容易に形成することができるため、製造コストをさらに低減することができる。その上、同一ピッチのローレットが確実に係合するため内側つまみ及び外側つまみの係合がより確実なものとなる。
【発明を実施するための最良の形態】
【００１３】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、引戸の例として示す網戸Ｓを閉じる方向（閉方向、閉側）を前、網戸Ｓを開ける方向（開方向、開側）を後とし、前方に向かって左右を左右とする。また、建具により仕切られた内側空間側を内方、外側空間側を外方という。
【００１４】
図１〜図７は、本発明の実施の形態に係る操作つまみの構成を示す説明図であり、図１は操作つまみを網戸に取り付けた状態を示す要部拡大斜視図、図２は同じく要部拡大縦断側面図、図３は操作つまみを取り外した状態を示す要部拡大斜視図、図４は一対の操作つまみを組み合わせた状態を示す斜視図、図５（ａ）は係合面の例を示す要部拡大斜視図、図５（ｂ）は同じく一対の操作つまみを組み合わせた状態の要部拡大縦断側面図、図６及び図７は係合面の例を示す要部拡大斜視図である。なお、図２及び図５（ｂ）においては、操作つまみ１により上下方向にスライド操作されるロック装置３２を省略しており、図４においては、縦框３１及びロック装置３２を省略している。
【００１５】
図１及び図２に示すように、本発明の実施の形態に係る操作つまみは、網戸Ｓの縦框３１に取り付けられた合成樹脂製の内側つまみ１及び外側つまみ２からなり、内側つまみ１の上下の凹部１３，１４に指を入れて室内側から、外側つまみ２の上下の凹部２３，２４に指を入れて室外側から、網戸Ｓを前後方向にスライドさせて開閉することができる。また、網戸Ｓを閉じた際に、操作つまみを操作して下側にスライドさせると、該操作つまみに連動して網戸Ｓの開閉端（戸先）Ｅに取り付けられたロック装置３２の係止片３２ｂが下側に移動して図示しない開口部の縦枠に取り付けられた受け具３３に係止するため施錠状態となり、該施錠状態において操作つまみを操作して上側にスライドさせると、該操作つまみに連動してロック装置３２の係止片３２ｂが上側に移動して受け具３３から外れるため解錠状態となる。
【００１６】
次に、操作つまみの網戸Ｓへの取り付け方法について説明する。図２及び図３に示すように、網戸Ｓの縦框３１にはその左右側面（外面及び内面）に上下方向に延びる長孔３１ａ，３１ａが形成され、縦框３１に取り付けられたロック装置３２における上下方向にスライド可能に支持されたスライダーには左右方向に貫通する通孔３２ａが形成されており、該通孔３２ａは左右方向視において縦框３１の左右の長孔３１ａ，３１ａ内に露出している。また、内側つまみ１には左方（外方）へ突出する上下一対の水平板状の係合片１１，１２が、外側つまみ２には右方（内方）へ突出する上下一対の水平板状の係合片２１，２２が設けられており、これら係合片１１，１２，２１，２２はロック装置３２の前記通孔３２ａ内に挿入された状態で、上係合片同士１１，２１が面接触するとともに（接触面４）、下係合片同士１２，２２が面接触する（接触面５）。
【００１７】
図４及び図５に示すように、内側つまみ１の上係合片１１の上面及び外側つまみ２の上係合片２１の下面（接触面４）には、摩擦係数が高い（静摩擦係数が０．８〜２．０程度）、例えばポリウレタン系樹脂等を主成分とする弾性被膜８がコーティングされており、内側つまみ１の下係合片１２の下面及び外側つまみ２の下係合片２２の上面（接触面５）にも前記弾性被膜８がコーティングされている。したがって、これらの弾性被膜８，８同士の接触により摩擦係合による係合面６，７が形成される。係合面６，７の摩擦係数は、弾性被膜８の材質及び厚さの変更等により変えることが容易であるため、所要の摩擦係合力を容易に設定することができる。なお、弾性被膜８を係合片の基体にコーティングして係合面６，７を形成する構成に限定されるものではなく、合成ゴム又は合成樹脂等からなる滑り止めテープ又はシートを係合片の基体に貼付することにより摩擦係合による係合面６，７を形成する構成としてもよい。
【００１８】
図３に示すように縦框３１の外側から外側つまみ２の上下の係合片２１，２２をロック装置３２の通孔３２ａ内に挿入し、図２に示すように外側つまみ２の内側面（右側面）の上下を縦框３１の外側面（左側面）に当接させた状態で、図３に示すように縦框３１の内側から内側つまみ１の上下の係合片１１，１２を前記通孔３２ａ内の外側つまみ２の係合片２１，２２の間に挿入すると、図２に示すように内側つまみ１の外側面（左側面）の上下を縦框３１の内側面（右側面）に当接させた状態とすることができ、この状態が前記係合面６，７の摩擦係合により保持される。
【００１９】
図２〜図４及び図５（ｂ）に示すように、外側つまみ２の通孔２５から、係合片１１，１２，２１，２２の上下方向内側への変形を規制する規制部材であるロックピン３が挿入され、ロックピン３の上下面の前後方向に延びる突条３ｂ，３ｂがそれぞれ係合片１１の下面の前後方向に延びる凹条１１ａ及び係合片１２の上面の前後方向に延びる凹条１２ａに係合して位置決めされる。なお、ロックピン３の内側先端部にはその上下に斜面３ａ，３ａが形成されているため、ロックピン３の挿入作業を容易に行うことができる。また、ロックピン３は、内側つまみ１の通孔１５（図２参照。）からドライバー若しくは六角レンチ等の工具又はピン等を挿入することにより取り外すことができる。
【００２０】
以上のような構成により、上係合片１１，２１同士及び下係合片１２，２２同士の接触面４，５が摩擦係合による係合面６，７であるため、該係合面６，７の適宜位置で摩擦係合する。したがって、操作つまみが取り付けられる網戸Ｓの縦框３１の厚さのバリエーションに対して同一の操作つまみを兼用可能であるとともに、上下一対の水平板状の係合片１１，１２，２１，２２等からなる簡素な形状であるため製造コストを低減することができる。その上、ロックピン３が係合片１１，１２，２１，２２の上下方向内側への変形を規制するため、内側つまみ１及び外側つまみ２が係合した状態が維持され、ガタツキが生じることがなく確実に操作つまみを操作することができる。その上さらに、合成樹脂製の内側つまみ１及び外側つまみ２の上下の係合片１１，１２，２１，２２がいずれも比較的弾性変形しやすいものであるため、ロックピン３を外すと内側つまみ１及び外側つまみ２を容易に分離することができる。したがって、内側つまみ１及び外側つまみ２の交換作業を容易に行うことができる。
【００２１】
次に、係合面６，７（例えば図５（ｂ）参照。）のバリエーションについて説明する。上記のような摩擦係合ではなく機械的係合により係合面６，７を構成してもよく、例えば、係合片１１，１２，２１，２２の基体の成形時に、同一ピッチの図６に示すような前後方向の平目のローレット９（前後方向視で略三角形の凹凸が左右方向に連続するもの）を金型により一体成形してもよいし、同様にして同一ピッチの図７に示すような四角目のローレット１０を一体成形してもよい。なお、図６及び図７においては、説明の都合上、ローレット９，１０の凹凸の大きさを実際の大きさより拡大して示している。また、平目のローレット９又は四角目のローレット１０に代えて、係合片１１，１２，２１，２２の基体に、同一ピッチの斜目又は菱形目のローレットを一体成形してもよい。
【００２２】
このようなローレットのピッチを、例えば０．１ｍｍ〜０．２ｍｍ程度の微細なものとすれば、網戸Ｓの縦框３１の厚さのバリエーションにきめ細かく対応することができるし、このような微細な凹凸により形成される係合面６，７の機械的係合によっても、前記規制部材であるロックピン３が係合片１１，１２間に内挿されるため、内側つまみ１と外側つまみ２とが係合した状態が維持され、ガタツキが生じることがなく確実に操作つまみを操作することができる。その上、係合片１１，１２，２１，２２の基体の成形時に金型による一体成形により前記ローレットを施すものであるため、係合面６，７を容易に形成することができる。したがって、製造コストをさらに低減することができる。その上さらに、同一ピッチのローレットが確実に係合するため内側つまみ１及び外側つまみ２の係合がより確実なものとなる。なお、金型による一体成形により係合片１１，１２，２１，２２の基体に施す微細な凹凸加工は、ローレットに限定されるものではなく、皮、梨地、木目、布目等のシボにより凹凸を形成してもよい。
【００２３】
以上の説明においては、外側つまみ２の上下の係合片２１，２２の間に内側つまみ１の上下の係合片１１，１２を内挿させる場合について説明したが、内側つまみ１の上下の係合片１１，１２の間に外側つまみ２の上下の係合片２１，２２を内挿させる構成としてもよい。あるいは、内側つまみ１の上下の係合片１１，１２のそれぞれの上側に外側つまみ２の上下の係合片２１，２２が位置する構成としてもよいし、内側つまみ１の上下の係合片１１，１２のそれぞれの下側に外側つまみ２の上下の係合片２１，２２が位置する構成としてもよい。すなわち、内側つまみ１及び外側つまみ２の上係合片同士１１，２１並びに内側つまみ１及び外側つまみ２の下係合片同士１２，２２が面接触し、これら接触面４，５が前記のような摩擦係合面又は機械的係合面６，７であればよい。
【００２４】
ここで、内側つまみ１の上下の係合片１１，１２のそれぞれの上側に外側つまみ２の上下の係合片２１，２２が位置する構成、又は、内側つまみ１の上下の係合片１１，１２のそれぞれの下側に外側つまみ２の上下の係合片２１，２２が位置する構成を採用した場合においては、ロックピン３が内側つまみ１の係合片と外側つまみ２の係合片との間に挿入されるため、特に網戸Ｓの縦框３１の厚みが薄い場合において、ロックピン３の上下面の突条３ｂ，３ｂに対して上下の係合片１１，１２の凹条がずれる場合があり得る。このような場合においては、例えば上下の係合片１１，１２の一方のみに凹条を設ける構成とすればよい。
【００２５】
また、以上の説明においては、本発明の操作つまみを網戸Ｓの縦框３１に取り付ける場合について説明したが、本発明の操作つまみはガラス戸若しくはアルミサッシ等の引戸又はアコーディオンカーテン、アコーディオンドア若しくは可動間仕切等の折戸に取り付けてもよい。
【図面の簡単な説明】
【００２６】
【図１】本発明の実施の形態に係る操作つまみを網戸に取り付けた状態を示す要部拡大斜視図である。
【図２】同じく要部拡大縦断側面図である。
【図３】操作つまみを取り外した状態を示す要部拡大斜視図である。
【図４】一対の操作つまみを組み合わせた状態を示す斜視図である。
【図５】係合面の例を示す図であり、（ａ）は要部拡大斜視図、（ｂ）は一対の操作つまみを組み合わせた状態の要部拡大縦断側面図である。
【図６】係合面の例を示す要部拡大斜視図である。
【図７】係合面の例を示す要部拡大斜視図である。
【符号の説明】
【００２７】
１  内側つまみ
２  外側つまみ
３  ロックピン（規制部材）
４，５  接触面
６，７  係合面
８  弾性被膜
９  ローレット（平目）
１０  ローレット（四角目）
１１  上係合片
１２  下係合片
１３，１４  凹部
１５  通孔
２１  上係合片
２２  下係合片
２３，２４  凹部
２５  通孔
３１  縦框
３１ａ  長孔
３２  ロック装置
３２ａ  通孔
３２ｂ  係止片
３３  受け具
Ｅ  開閉端
Ｓ  網戸（引戸）
【図１】
2008190238.tif 000003
【図２】
2008190238.tif 000004
【図３】
2008190238.tif 000005
【図４】
2008190238.tif 000006
【図５】
2008190238.tif 000007
【図６】
2008190238.tif 000008
【図７】
2008190238.tif 000009